(57)【要約】      （修正有）【課題】撮影モードが不用意に選択されて失敗写真となることを防止する。【解決手段】複数点測距可能な測距装置の測距結果に応じてシャッター打ち切り秒時を制御することで、不用意に手ぶれや被写体ぶれが発生しないようにするとともに、ストロボ撮影でも背景の露出が得られる撮像装置を提供する。複数点測距可能な測距装置の測距結果に応じてシャッター打ち切り秒時を制御するとともに、すべての測距値が相対的に所定範囲にあることを判断する。【選択図】図１
2005181355.tif 000002
【特許請求の範囲】
【請求項１】
複数点測距可能な測距手段を備える撮影装置において、ストロボ撮影時のシャッター打ち切り秒時を前記測距手段の測距結果に応じて変更することを特徴とすることを特徴とする撮像装置。
【請求項２】
請求項１記載の撮像装置において、すべての測距値が相対的に所定範囲にある場合は、シャッター打ち切り秒時を短くすることを特徴とする撮像装置。
【請求項３】
請求項１記載の撮像装置において、選択された測距値に対して、遠い測距値が存在する時は、シャッター打ち切り秒時を長くすることを特徴とする撮像装置。
【請求項４】
請求項１記載の撮像装置において、防振装置が有効な場合にシャッター打ち切り秒時を変更することを特徴とする撮像装置。 
【発明の詳細な説明】
【技術分野】
【０００１】
本発明は、撮像装置の露出制御に係り、特に、複数点を測距する測距装置およびストロボを備えている撮像装置（カメラ等）に関する。
【背景技術】
【０００２】
従来ストロボ撮影時のシャッター打ちきり時間については、撮影モードの選択の中にスローシンクロモードを設け、夜間での撮影で被写体はストロボで露出を制御し、ストロボの届かない背景に関しても露出が得られるように打ち切り秒時を長くできるようになっている（特許文献１参照）。
【特許文献１】特開平８−２４０８４１号公報
【発明の開示】
【発明が解決しようとする課題】
【０００３】
しかしながら、撮影モードで選択するようにできるようにしてあっても、撮影者にカメラの知識がないと不用意に選択されて、手ぶれや被写体ぶれが発生し失敗写真なることがあった。
【０００４】
また、背景が近い場合には、ストロボで露出が得られるので、シャッター打ち切り秒時を長くする必要はない。
【０００５】
本発明はこのような課題に鑑みて成されたものであり、複数点測距可能な測距装置の測距結果に応じてシャッター打ち切り秒時を制御することで、不用意に手ぶれや被写体ぶれが発生しないようにするとともに、ストロボ撮影でも背景の露出が得られる撮像装置を提供することを目的とする。
【課題を解決するための手段】
【０００６】
上記課題を解決するために本発明の撮像装置は、複数点測距可能な測距装置の測距結果に応じてシャッター打ち切り秒時を制御する。
【０００７】
また、すべての測距値が相対的に所定範囲にあることを判断することにより、背景が近いか、背景の占める割合が小さいと予想できるように構成する。
【０００８】
また、レンズのピント制御用に選択された測距値に対して、遠い測距値が存在する時は、シャッター打ち切り秒時を長くすることで、背景にも露出を得ることが可能な構成とする。
【０００９】
また、防振装置が備わっている場合は手ぶれが抑制されるのでストロボ撮影のシャッター打ち切り秒時を長くすることが可能だが被写体ぶれは残ってしまう。そこで防振が有効になっている場合にのみシャッター打ち切り秒時を変更できるように構成する。
【発明の効果】
【００１０】
本発明によれば、複数点測距可能な測距装置の測距結果に応じてシャッター打ち切り秒時を制御することで、不用意に手ぶれや被写体ぶれが発生しないようにするとともに、ストロボ撮影でも背景の露出が得られる。
【００１１】
さらに、すべての測距値が相対的に所定範囲にあることを判断することにより、背景が近いか、背景の占める割合が小さいと予想できるので、シャッター打ち切り秒時を短くすることで、ぶれがなく、ストロボによる全体的に露出が適正に得られた撮影が可能である。
【００１２】
また、レンズのピント制御用に選択された測距値に対して、遠い測距値が存在する時は、シャッター打ち切り秒時を長くすることで、背景にも露出を得ることが可能になり、真っ暗な中に被写体だけ浮いているような写真をなくすことを可能とする。
【００１３】
さらに、防振が有効になっている場合にのみシャッター打ち切り秒時を変更できるようにすることで、ぶれが抑制されてかつ背景に露出が得られ、背景が近い場合は被写体ぶれが完全に押えられることを可能にする。
【発明を実施するための最良の形態】
【００１４】
以下に本発明の実施例について説明する。
【実施例１】
【００１５】
以下、本発明の好適な実施例を図面に基づいて説明する。図１は、本発明の撮影装置であるところのブロック図である。
【００１６】
１は制御を司るマイコンであるＣＰＵ、２はストロボ（ＳＴ）、３は複数点を測距可能な測距手段（ＡＦ）、４は明るさを測定する測光手段（ＡＥ）、５はフィルムや撮像素子の露光料を制御するシャッター（ＳＨ）、６は撮影レンズを制御して、ピントを合わせるＦＯＣＵＳ（焦点手段）、７はレリーズボタン、モード設定ボタン等のスイッチであるところのＳＷ、８は防振手段（ＩＳ）である。
【００１７】
図２は、本発明の動作を示すフローチャートである。
【００１８】
まず、ＳＷでレリーズボタンが操作されたと検出されると、撮影が開始される。ステップＳ１では、ＡＦによって複数点の測距値が得られ、ステップＳ２に進む。
【００１９】
ステップＳ２では、複数点の測距値から被写体距離を求め焦点手段（ＦＯＣＵＳ）によって撮影レンズのピントを合わせステップＳ３に進む。このとき複数の測距値から最も近い距離を選択することによって、ピント距離を選択するのが一般的である。
【００２０】
ステップＳ３ではＡＥの測光値からストロボ撮影か判断し、ストロボ撮影ならステップＳ４に、ストロボ撮影でなければステップＳ９に進む。
【００２１】
ステップＳ４では、防振装置ＩＳが有効になっているかを判断し、有効ならステップＳ５に、無効ならステップＳ６に進む。
【００２２】
ステップＳ５では、ステップＳ１で得られた複数点の測距値のすべてが相対的に近く所定距離範囲内にあるかを判断しており、範囲内であればステップＳ６に進み、範囲外ならステップＳ７に進む。
【００２３】
ここで所定範囲内とは、ストロボに露光量が距離の二乗に反比例することから求めて、たとえば±１段ぐらいの露光範囲にすることである。
【００２４】
また、測距点が１１点ぐらいに多い時にはすべての測距点でなく、中心に近いところに占める割合を考慮してもよい。
【００２５】
ステップＳ６ではシャッターＳＨの打ち切り秒時を短く設定してステップＳ８に進む。ここで短く設定するとは、例えば、ＳＬＲの場合はストロボ同調可能な秒時であり、ＬＳの場合は開放まで開く時間を差す。
【００２６】
ステップＳ７では、打ち切り秒時を長く設定してステップＳ８に進む。ここで長く設定するとは、ステップＳ６の秒時よりも長く、測光ＡＥできまる秒時よりも短い時間である。また、レンズ焦点距離で手ぶれ量の効き量が変わってくるので、これを考慮して秒時を決めてもよい。
【００２７】
ステップＳ８では、シャッターＳＨとストロボＳＴを制御して、露出制御を行い終了する。
【００２８】
ステップＳ９では、ストロボ撮影でないので測光ＡＥから決まるシャッター秒時でシャッターＳＨを制御して、露出制御を行い終了する。
【００２９】
したがって、図３に示すように、複数点測距可能な測距装置の測距結果に応じてシャッター打ち切り秒時を制御することで、不用意に手ぶれや被写体ぶれが発生しないようにするとともに、ストロボ撮影でも背景の露出が得られるようにしている。
【００３０】
また、すべての測距値が相対的に所定範囲にあることを判断することにより、背景が近いか（図３（Ｄ））、背景の占める割合が小さい（図３（Ａ）,（Ｂ））と予想できるので、シャッター打ち切り秒時を短くすることで、ぶれがない、ストロボによる全体的に露出が適正に得られた撮影が可能にしている。
【００３１】
また、レンズのピント制御用に選択された測距値に対して、遠い測距値が存在する時は（図３（Ｃ））、シャッター打ち切り秒時を長くすることで、背景にも露出を得ることが可能になり、真っ暗な中に被写体だけ浮いているような写真をなくすことを可能にしている。
【図面の簡単な説明】
【００３２】
【図１】本発明に係る撮像装置の概略ブロック図である。
【図２】本発明に係る撮像装置の動作を示すフローチャートである。
【図３】本発明に係る撮像装置における撮影の一例である。
【符号の説明】
【００３３】
１      ＣＰＵ（マイコン）
２      ＳＴ（ストロボ）
３      ＡＦ
４      ＡＥ  
５      ＳＨ（シャッター）
６      ＦＯＣＵＳ
７      ＳＷ
８      ＩＳ（防振装置） 
【図１】
2005181355.tif 000003
【図２】
2005181355.tif 000004
【図３】
2005181355.tif 000005